(57)【特許請求の範囲】
【請求項１】
面発光素子と、調光シートとを少なくとも有する面発光体において、前記調光シートは、少なくとも片面に複数の凸部を有し該凸部の先端部が前記面発光素子の出射面に接着層を介して接しており、前記凸部の先端部と前記面発光素子との間には拡散構造が設けられており、前記調光シートのヘイズ値が８５％以上であることを特徴とする面発光体。
【請求項２】
前記拡散構造の反射率が３５％未満であることを特徴とする
請求項１に記載の面発光体。
【請求項３】
前記接着層は、前記拡散構造を備えていることを特徴とする
請求項１又は２に記載の面発光体。
【請求項４】
前記接着層は、前記面発光素子の出射面全面に設けられていることを特徴とする
請求項１〜３の何れか１項に記載の面発光体。
【請求項５】
前記面発光素子は、出射面に透明基板を有しており、前記透明基板は前記拡散構造を備えていることを特徴とする
請求項１〜４の何れか１項に記載の面発光体。
【請求項６】
前記凸部が円錐台形であることを特徴とする
請求項１〜５の何れか１項に記載の面発光体。
【請求項７】
請求項１〜６の何れか1項に記載の面発光体をバックライトとして用いたことを特徴とする表示装置。
【発明の詳細な説明】
【技術分野】
【０００１】
本発明は、面発光素子を備えた面発光体に関し、該面発光体から出射される光の光量や正面輝度を大きく向上させるようにした面発光体、及びそれをバックライトとして用いた表示装置に関する。
【背景技術】
【０００２】
近年、情報機器の多様化等にともなって、消費電力が少なく、容積が小さい面発光素子のニーズが高まり、このような面発光素子の一つとしてエレクトロルミネッセンス素子（以下、ＥＬ素子と略す。）が注目されている。【０００３】
そして、このようなＥＬ素子は、使用する材料によって無機ＥＬ素子と有機ＥＬ素子とに大別される。【０００４】
ここで、無機ＥＬ素子は、一般に発光部に高電界を作用させ、電子をこの高電界中で加速して発光中心に衝突させ、これにより発光中心を励起させて発光させるようになっている。一方、有機ＥＬ素子は、電子注入電極とホール注入電極とからそれぞれ電子とホールとを発光層内に注入し、このように注入された電子とホールとを発光層内で結合させて、有機材料を励起状態にし、この有機材料が励起状態から基底状態に戻るときに発光するようになっており、無機ＥＬ素子に比べて、低い電圧で駆動できるという利点がある。【０００５】
また、有機ＥＬ素子の場合には、発光材料を選択することによって適当な色彩に発光する発光素子を得ることが出来、また発光材料を適当に組み合わせることによって白色光を得ることも出来、液晶表示素子等の表示装置のバックライトとして利用することも期待されている。【０００６】
ここで、液晶表示素子等のバックライトとして利用する場合、一般に２０００〜４０００ｃｄ／ｍ2程度の正面輝度が必要になるが、上記のようなＥＬ素子等の面発光素子を発光させた場合、発光された光は様々な方向に進行し、面発光素子の出射面等において全反射して面発光素子の内部に閉じ込められる光も多く存在し、十分な正面輝度を得ることが困難であり、特に、有機ＥＬ素子の場合においては、十分な発光寿命が得られるようにするためには、１０００〜１５００ｃｄ／ｍ2程度の正面輝度しか得られないという問題があった。従って、光取り出し効率として１．４倍以上、正面輝度向上倍率として１．６倍以上、さらに望ましくは正面輝度向上倍率で２倍以上となる解決策が望まれている。【０００７】
従来においては、有機ＥＬ素子等の面発光素子を発光させた場合において、その内部に閉じ込められる光を取り出して、その正面輝度を向上させるために、面発光素子の出射面に拡散構造を設けるようにしたもの（例えば、特許文献１、２、３、４参照。）や、面発光素子の出射面にプリズムやレンズ状のシートを表面に凹凸が現れるようにして取り付けたものが提案されている（例えば、特許文献５、６、７、８参照。）。【０００８】
しかしながら、上記のように面発光素子の出射面に微小な凹凸を設けるようにしたり、面発光素子の出射面に凹凸が設けられた平面部材を表面に凹凸が現れるようにして取り付けるようにした場合、表面における凹凸によって光が散乱され、依然として正面輝度を十分に向上させることが出来ないという問題があった。【０００９】
有機ＥＬ発光デバイスなどの面発光素子の正面輝度を向上する別の手段として、光が射出する側の面に、表面に凹凸の設けられたプリズムアレイシートをプリズム側が射出面に向くような構成が考案されている（特許文献９、１０）。そのような構成では、プリズムの接着部分の透明性（散乱無く光線を透過する特性）が高いために、接着部分を通して発行素子の裏面で反射されたプリズム列が観察される。その時に、プリズム列が規則正しく並んでいると、プリズム列と裏面反射で観察されるプリズム列の鏡像とを重なりあって観察されるために、モアレ像が観察されるという不都合が生じる。
【特許文献１】特開２０００−３２３２７２号公報
【特許文献２】特開２０００−２３１９８５号公報
【特許文献３】特開平７−１６２０３７号公報
【特許文献４】特開平１１−１１１４６４号公報
【特許文献５】特開２００５−６３９２６号公報
【特許文献６】特開２００３−５９６４１号公報
【特許文献７】特開平６−２６５８８８号公報
【特許文献８】特開２００５−３５３４３１号公報
【特許文献９】特開２０００−１４８０３２号公報
【特許文献１０】特開２００６−５９５４３号公報
【発明の開示】
【発明が解決しようとする課題】
【００１０】
本発明は上記問題に鑑みなされたものであり、面発光素子を備えた面発光体及びこの面発光体を用いた表示装置において、この面発光体から出射される光の取り出し効率を向上させることを課題とするものである。【００１１】
従って本発明の目的は、面発光体から出射される光の光量や正面輝度を大きく向上させ、モアレ像の発生を抑制できるようにした面発光体、及びそれをバックライトとして用いた表示装置を提供することにある。
【課題を解決するための手段】
【００１２】
本発明の上記課題は以下の構成により達成される。【００１３】
本発明の第１の面発光体においては、面発光素子と、調光シートとを少なくとも有し、前記調光シートは、少なくとも片面に複数の凸部を有し該凸部の先端部が前記面発光素子の出射面に接着層を介して接しており、前記調光シートのヘイズ値が８５％以上であることを特徴とする。【００１４】
本発明の第２の面発光体においては、面発光素子と、調光シートと、拡散シートとを少なくとも有し、前記調光シートは、少なくとも片面に複数の凸部を有し該凸部の先端部が前記面発光素子の出射面に接着層を介して接しており、前記拡散シートは前記調光シートの前記面発光素子と接する面とは反対側の面に設けられ、ヘイズ値が８０％未満であることを特徴とする。【００１５】
本発明の第３の面発光体においては、面発光素子と、調光シートとを少なくとも有し、前記調光シートは片面に複数の凸部を有し、片面に拡散構造を備えており、該凸部の先端部が前記面発光素子の出射面に接着層を介して接しており、前記拡散構造の反射率が３５％未満であることを特徴とする。【００１６】
本発明の第４の面発光体においては、面発光素子と、調光シートとを少なくとも有し、前記調光シートは、少なくとも片面に複数の凸部を有し該凸部の先端部が前記面発光素子の出射面に接着層を介して接しており、前記凸部の先端部と前記面発光素子との間には拡散構造が設けられており、前記調光シートのヘイズ値が８５％以上であることを特徴とする。
【００１７】
本発明の第５の面発光体においては、面発光素子と、調光シートとを少なくとも有し、前記調光シートは、少なくとも片面に複数の凸部を有し該凸部の先端部が前記面発光素子の出射面に接着層を介して接しており、前記面発光素子は、出射面に透明基板を有しており、該透明基板が拡散構造であることを特徴とする。【００１８】
本発明の第６の面発光体においては、第１〜５の面発光体において、前記凸部が円錐台形であることを特徴とする。【００１９】
また、表示装置において、以上述べた本発明の第１〜第６の面発光体をバックライトとして用いることを特徴とする。
【発明の効果】
【００２０】
本発明により、面発光体から出射される光の光量や正面輝度を大きく向上させ、モアレ像の発生を抑制できるようにした面発光体、及びそれをバックライトとして用いた表示装置を提供することが出来る。
【図面の簡単な説明】
【００２１】
【図１】本発明のプリズムアレイシートの一例である。
【図２】本発明の面発光体の実施形態の一例である。
【図３】本発明に係る面発光体による光の出射を示す模式図である。
【図４】モアレ像発生の仕組みを示す模式図である。
【図５】円錘台状の凸部を有する面発光体の一例である。
【図６】拡散シートを有する面発光体の一例である。
【図７】観察者側の表面に拡散構造を有する面発光体の一例である。
【図８】拡散性を持つ接着拡散層を有する面発光体の一例である。
【図９】透明基板に拡散構造を持つ拡散基板を用いた面発光体の一例である。
【図１０】透明基板面に有機ＥＬ層と対向電極とが設けられた有機ＥＬ素子からなる面発光素子である。
【符号の説明】
【００２２】
１０Ａ、１０Ｅ  プリズムアレイシート
１１  透光性基板
１２  凸部
１３  空間部
１４  出射面
２０  面発光素子
２１  透明基板
２２  透明電極
２３  有機ＥＬ層
２４  対向電極
【発明を実施するための最良の形態】
【００２３】
以下本発明を実施するための最良の形態について詳細に説明するが、本発明はこれらに限定されるものではない。【００２４】
本発明の面発光体は、調光シートの少なくとも片面に複数の凸部を設け、この凸部の先端部が前記面発光素子の出射面に接着層を介して接することで、調光シートを設けない場合には面発光素子の出射面において全反射される光が、調光シートの凸部の先端面が接着された部分において反射されずに、この調光シート内に導かれるようになる。【００２５】
ここで、凸部は、錐台形をしており、例えば、角錐や円錐等が挙げられる。【００２６】
凸部の先端部が発光素子の出射面に接着材を介して接するとは、凸部すべてを接着層に埋没してしまうのでなく、凸部の一部のみを、接着材を介して面発光体の出射面に接することで、面発光素子と調光シートとの間に空隙部が形成される。調光シート内に導かれた光の多くは、面発光素子の出射面に向けて収縮した凸部と空間部との界面において全反射され、この全反射された光が調光シートの出射面に導かれて出射されるようになる。【００２７】
この結果、この発明における第１の面発光体においては、上記の調光シートを通して出射される光の取り出し効率が向上するとともに、正面輝度が大きく向上する。【００２８】
このとき、調光シートの凸部列を透過して、面発光体の裏面のミラー面で反射されて出来る調光シートの鏡像が観察されるため、規則正しく配列した調光シート凸部のモアレ像が発生することになるが、調光シートのヘイズ値が８５％以上になるように構成することで、モアレ像が観察されにくくなる。【００２９】
ここで、調光シートのヘイズ値は、透明なガラス基板に調光シートを使用形態と同じ構成で貼り付けた状態で、ヘイズ測定器（例えば、ＮＩＰＰＯＮ  ＤＥＮＳＨＯＫＵ  ＨａｚｅＭｅｔｅｒ  ＮＤＨ２０００）で測定した値である。【００３０】
また、この第１の面発光体において、上記の調光シートの片面に設ける凸部を上記の先端面に向けて収縮する円錐台状に形成すると、この調光シートを通して出射される光の取り出し効率が向上するとともに、正面輝度が更に向上する。【００３１】
この発明の第２の面発光体においては、第1の面発光体と同様に、接着された調光シートの凸部の先端面を通って調光シート内に導かれた光の多くが、凸部と空間部との界面において全反射され、全反射された光が調光シートの出射面に導かれて出射するようになる。この結果、光の取り出し効率が向上するとともに、正面輝度が大きく向上する。このとき、調光シートの凸部を透過して、面発光体の裏面のミラー面で反射されて出来る調光シートの鏡像が観察されるため、モアレ像が発生することになるが、調光シートに重ねて拡散シートを設けることで、モアレ縞が視認されなくなる。【００３２】
拡散シートのヘイズ値が凡そ８０％未満であれば、光取り出し効率や正面輝度が高くモアレ縞を視認できない状態に出来る。【００３３】
また、この第２の面発光体において、上記の調光シートの片面に設ける凸部を上記の先端面に向けて収縮する円錐台状に形成すると、この調光シートを通して出射される光の取り出し効率が向上するとともに、正面輝度が更に向上する。【００３４】
この発明の第３の面発光体においては、第１の面発光体と同様に、接着された調光シートの凸部の先端面を通って調光シート内に導かれた光の多くが、凸部と空間部との界面において全反射され、全反射された光が調光シートの出射面に導かれて出射するようになる。この結果、光の取り出し効率が向上するとともに、正面輝度が大きく向上する。このとき、調光シートの凸部を透過して、面発光体の裏面のミラー面で反射されて出来る調光シートの鏡像が観察されるため、モアレ像が発生することになるが、調光シートの凸部が設けられている面と反対側の面を拡散構造とすることで、モアレ縞が視認されなくなる。【００３５】
拡散構造の反射率が３５％未満であれば、光取り出し効率や正面輝度が高くモアレを視認できない状態に出来る。【００３６】
また、拡散構造のヘイズ値が７０％未満であれが、さらに正面輝度が高く、モアレが視認できない状態を達成できる。【００３７】
ここで、調光シートに設ける拡散構造のヘイズ値は、凸部を設けない平行平板の片面に拡散構造を設けた状態で、ヘイズ測定器（例えば、ＮＩＰＰＯＮ  ＤＥＮＳＨＯＫＵ  ＨａｚｅＭｅｔｅｒ  ＮＤＨ２０００）で測定した値である。【００３８】
また、この発明における第１の表示装置のように、表示素子と、上記の面発光体とを備え、上記の面発光体を表示素子のバックライトとして用いるようにすると、上記の面発光体の出射面から出射された正面輝度の高い光が表示素子に導かれ、輝度の高い表示が行えるようになる。【００３９】
次に、この発明の実施形態に係る面発光体を添付図面に基づいて具体的に説明する。なお、本発明に係る面発光体は、下記の実施形態に示したものに限定されず、その要旨を変更しない範囲において適宜変更して実施できるものである。【００４０】
（実施形態１）
実施形態１においては、調光シートとして、図１（ａ）、（ｂ）に示すように、透光性基板１１の片面に先端側が収縮した四角錘台状の凸部１２が縦横に連続して形成されたプリズムアレイシート１０Ａを用いるようにした。なお、本明細書において、凸部１２の先端側が収縮するとは、プリズムアレイシート１０Ａから遠ざかるにつれて徐々に小さくなるように凸部１２が形成されていることを意味し、図１（ｂ）及び後述する図２〜９の例では、下すぼみの形状になっていることを意味する。【００４１】
そして、この実施形態１の面発光体においては、図２に示すように、透明電極２２が設けられた透明基板２１の面に有機ＥＬ層２３と対向電極２４とが設けられた有機ＥＬ素子からなる面発光素子２０を用い、この面発光素子２０において発光された光を出射させる透明基板２１の出射面２１ａに、上記のプリズムアレイシート１０Ａにおける四角錘台状になった凸部１２の先端面１２ａを接着させるようにした。ここで、対向電極２４はアルミ等の金属が用いられるため、その反射率が８０％以上の鏡面となる。【００４２】
このように面発光素子２０の出射面２１ａに、プリズムアレイシート１０Ａにおける四角錘台状になった凸部１２の先端面１２ａを接着させると、プリズムアレイシート１０Ａの凸部１２が面発光素子２０の出射面２１ａに向けて収縮した形状になると共に、このプリズムアレイシート１０Ａの凸部１２と面発光素子２０の出射面２１ａとの間の空間部１３にはプリズムアレイシート１０Ａの屈折率より低い空気が充填されるようになる。【００４３】
そして、このように面発光素子２０の出射面２１ａにプリズムアレイシート１０Ａにおける四角錘台状になった凸部１２の先端面１２ａを接着させて、上記の面発光素子２０を発光させると、図３に示すように、調光シートを設けない場合には面発光素子２０の出射面２１ａにおいて全反射される光が、プリズムアレイシート１０Ａの凸部１２の先端面１２ａが接着された部分においては、全反射されずにこのプリズムアレイシート１０Ａ内に導かれるようになる。【００４４】
そして、このようにプリズムアレイシート１０Ａ内に導かれた光の多くは、面発光素子２０の出射面２１ａに向けて収縮した凸部１２と空間部１３との界面である凸部１２の傾斜面１２ｂにおいて反射され、この反射された光がプリズムアレイシート１０Ａの出射面１４に導かれて出射されるようになる。また、図３に示すように、プリズムアレイシート１０Ａの凸部１２の先端面１２ａが接着されていない出射面２１ａの部分から出射される光であっても、出射面２１ａから垂直方向に出射される光は、凸部１２の傾斜面１２ｂで進行方向が若干変更されるがプリズムアレイシート１０Ａの正面側に出射されるようになり、また出射面２１ａからプリズムアレイシート１０Ａにおける凸部１２の傾斜面１２ｂと直交するような方向に出射された光は、この傾斜面１２ｂから凸部１２内に導かれ、この凸部１２の反対側の傾斜面１２ｂで反射されてプリズムアレイシート１０Ａの正面側に出射されるようになる。【００４５】
ここで、上記のように調光シートを設けない場合には面発光素子２０の出射面２１ａにおいて全反射される光が、上記の凸部１２の先端面１２ａからこのプリズムアレイシート１０Ａの内部に適切に導かれるようにするためには、このプリズムアレイシート１０Ａの屈折率と上記の面発光素子２０の出射面２１ａにおける屈折率との差を０．２以内にすることが好ましい。【００４６】
また、上記のようにプリズムアレイシート１０Ａに四角錘台状になった凸部１２を設けるにあたり、この凸部１２における傾斜面１２ｂ相互が交差する頂角θが大きくなって、上記の面発光素子２０の出射面２１ａに対する凸部１２の傾斜面１２ｂの傾斜角度αが小さくなりすぎると、調光シートを設けない場合に面発光素子２０の出射面２１ａにおいて全反射される光がこのプリズムアレイシート１０Ａの内部に導かれたとしても、この光が凸部１２の傾斜面１２ｂにあたらずに、プリズムアレイシート１０Ａの出射面１４に導かれ、このプリズムアレイシート１０Ａの出射面１４において全反射されて戻されるようになり、プリズムアレイシート１０Ａの出射面１４から出射される光の強度が低下する。【００４７】
一方、凸部１２における傾斜面１２ｂ相互が交差する頂角θが小さくなって、面発光素子２０の出射面２１ａに対する凸部１２の傾斜面１２ｂの傾斜角度αが大きくなりすぎると、上記のようにプリズムアレイシート１０Ａの内部に導かれた光が、この凸部１２の傾斜面１２ｂにおいて反射されずに、この凸部１２を通過して空間部１３に導かれ、更にこの空間部１３を通過して再度プリズムアレイシート１０Ａの内部に導かれるようになり、この光が上記のようにプリズムアレイシート１０Ａの出射面１４において全反射されて戻されるようになり、プリズムアレイシート１０Ａの出射面１４から出射される光の強度が低下する。【００４８】
このため、上記の凸部１２における傾斜面１２ｂ相互が交差する頂角θは、このプリズムアレイシート１０Ａにおける波長５５０ｎｍの光に対する屈折率をｎとした場合に、（１／ｎ−０．３５）＜ｓｉｎθ＜（１／ｎ＋０．３）の条件を満たすことが好ましく、更に１／ｎ＜ｓｉｎθ＜（１／ｎ＋０．２５）の条件を満たすようにすることがより好ましい。【００４９】
また、上記の凸部１２の高さｈのとり得る範囲については、凸部１２における上記の頂角θや凸部１２のピッチｐによっても変化するが、一般にこの凸部１２の高さｈが低すぎると、面発光素子２０の出射面２１ａにおいて、調光シートを設けない場合に全反射される光がこのプリズムアレイシート１０Ａの内部に導かれたとしても、この光が凸部１２の傾斜面１２ｂにあたらずに、プリズムアレイシート１０Ａの出射面１４に導かれ、このプリズムアレイシート１０Ａの出射面１４において全反射されて戻されるようになる。一方、この凸部１２の高さｈが高くなりすぎると、この凸部１２の傾斜面１２ｂにおいて光の反射に利用されない部分が生じると共に、凸部１２のピッチｐが同じ場合、面発光素子２０の出射面２１ａに接着される凸部１２の先端面１２ａの面積が小さくなって、このプリズムアレイシート１０Ａの内部に導かれる光の量が少なくなる。このため、この凸部１２の高さｈは、凸部１２のピッチｐに対して、０．２８ｐ≦ｈ≦１．１ｐの条件を満たすことが好ましい。なお、貼り付け手段に透明な接着剤を用いた時には、貼り付け前の凸部１２の頂点の一部が透明な接着剤に埋まるために、光学的な作用に影響する凸部の光学的な高さｈは貼り付け前の凸部の高さよりも低くなることがある。ここでの凸部１２の高さｈは、接着後の光学的な作用を及ぼす凸部の高さを表す。【００５０】
以上述べた面発光体においては、プリズムアレイシート１０Ａの鏡像が反射率の高い対向電極２４によって形成され、プリズムアレイシートの像と鏡像とが重なりあって観察されるためにモアレ像が発生する。図４を用いてその仕組みを説明する。【００５１】
プリズムシートアレイ１０Ａの面発光素子２０の発光により照明されて、鏡像１１０Ａが形成される。この時、形成される鏡像はプリズムアレイシート１０Ａの凸部１２の出射面１２ａの鏡像１１２ａ部分が、発光した照明光の透過率が高いために暗くなり、それ以外の部分が明るくなって観察される。【００５２】
プリズムアレイシート１０Ａを通してその鏡像１１２ａを観察する時には、凸部１２の出射面１２ａを通過した光線のみ、光線が曲げられることなく明るい像が観察され、出射面１２ａ以外の部分を透過した光線は、光線方向が曲げられるために観察される像は暗くなる。従って、図４に図示する面発光体に対する法線方向からγの角度の方向では、鏡像の明るい部分が明るく観察されるために、プリズムアレイシート１０Ａとその鏡像１１０Ａが重なりあった像は明るく観察され、βの角度の方向では、鏡像の暗い部分が出射面１２ａを通して観察されるために、プリズムアレイシート１０Ａとその鏡像１１０Ａが重なりあった像は暗く観察される。【００５３】
観察する方向により、明るく観察される方向と暗く観察される方向が繰り返されるためにモアレ縞として観察されることになる。【００５４】
また、以上は面発光素子自身の発光によりプリズムシートが照明されて発生するモアレ縞の発生原理の説明であるが、面発光体とは別に主として観察者の側に存在する照明光源によりプリズムシートが照明されることによっても、同様にモアレ縞が発生する。【００５５】
これらのモアレ縞の視認性を低くするためには、プリズムアレイシート１０Ａの凸部１２の出射面１２ａの面積を小さくすれば、鏡像１１０Ａの視認性が低下して、結果としてモアレ縞を見えにくくすることが出来る。その時、プリズムアレイシート１０Ａに平行光を照射すると、出射面１２ａの面積が小さくなることで、プリズムアレイシート１０Ａに入射後直進する光線の割合が小さく、凸部１２の傾斜面１２ｂなどで曲げられる光線の割合が大きくなる。平行光を入射して曲げられる光線の割合は、ヘイズ値として測定することが出来るため、プリズムアレイシート１０Ａのヘイズ値を大きくすれば、観察されるモアレ縞の視認性が低くなる。【００５６】
実施形態１では、面発光素子の出射面２１ａの面積に対するプリズムアレイシート１０Ａの凸部１２の出射面１２ａが出射面２１ａに光学的に密着している面積の比率、すなわち接着面積比率を変えた調光シートを作成して、そのヘイズ値を測定してモアレ縞を観察したところ、ヘイズ値が８５％以上の時に、観察されるモアレ縞のコントラストが十分に小さくなり、更にヘイズ値が８８％以上の時には、ほとんど視認できない程度にモアレ縞のコントラストが低下することを見出した。【００５７】
また、ヘイズ値と同時に、接着面積比率を測定したところ、接着面積比率が２０％未満でわずかに観察される程度にモアレ縞のコントラストが低下し、接着面積比率が１５％未満でモアレ縞がほとんど観察されない状態になることを見出した。【００５８】
ここで、ヘイズ値の測定は、面発光素子の透明基板２１と同じ材質の透明基板にプリズムアレイシート１０Ａを接着した状態で、透明基板側から測定光を入射してヘイズ測定器（ＮＩＰＰＯＮ  ＤＥＮＳＨＯＫＵ  ＨａｚｅＭｅｔｅｒ  ＮＤＨ２０００）で測定した。【００５９】
以上の説明では、プリズムアレイシート１０Ａの形状として、図１に示す四角推台を例に説明したが、調光シートとして、図５（ａ）、（ｂ）に示すように、透光性基板１１の片面に先端側が収縮した円錘台状の凸部１２の周辺部が切断されて正方形状になったものが縦横に連続して形成されたプリズムアレイシート１０Ｅを用いても良い。【００６０】
ここで、プリズムアレイシート１０Ｅに円錘台状になった凸部１２を設けるようにすると、このプリズムアレイシート１０Ｅを通して出射される光の正面輝度が更に大きく向上されるようになる。この詳細な理由については不明であるが、本発明者等の検討によれば、例えば、図１に示すように凸部１２が四角錘台状である場合、稜線方向の断面における稜線のなす頂角が、四角錘台状になった凸部１２の並び方向の断面における頂角に比べて小さくなるため、正面輝度の向上に十分に寄与することが出来ない出射光が生じるようになるが、円錘台状になった凸部１２の場合、どの方向の断面においても頂角が一定であるため、四角錘台状になった凸部１２の場合に生じていた正面輝度の向上に十分に寄与することが出来ない出射光が生じなくなるためであると考えられる。【００６１】
凸部１２が円錐台状になった場合でも、モアレ縞の発生する原理は既に述べた四角推台の場合と同じに考えることが出来、モアレ縞の視認性を低くするためには、プリズムアレイシート１０Ｅのヘイズ値を高くすることが有効で、ヘイズ値８０％以上であればモアレ縞の視認性が十分に小さくなり、ヘイズ値８８％以上であれば、更に望ましい。【００６２】
以上述べた実施形態１の面発光体により、光取り出し効率や正面輝度が高く、かつモアレ縞の視認性の十分低い面発光体が出来る。【００６３】
なお、実施形態１の面発光体においては、プリズムアレイシートの凸部１２の形状が四角推台と円錐台の場合について説明したが、光取り出し効率や正面輝度を高めてモアレ縞の視認性を低くする形状としては、それらに限られるものではなく、三角推台や六角推台等の形状でも良い。【００６４】
また、この実施形態１の面発光体においては、面発光素子２０として有機ＥＬ素子を用いるようにしたが、面発光素子２０は面状に発光するものであればよく、無機ＥＬ素子等を用いることが出来るが、輝度の向上にまだ大きな改善が期待される有機ＥＬ素子を用いることが特に効果的である。【００６５】
（実施形態２）
実施形態２においては、調光シートとして、上記の実施形態１の場合と同様に、図１（ａ）、（ｂ）に示すプリズムアレイシート１０Ａを用い、透光性基板１１の片面に先端側が収縮した四角錘台状の凸部１２を設ける。【００６６】
そして、この実施形態２の面発光体においても、上記の実施形態１の場合と同様に、面発光素子２０において発光された光を出射させる透明基板２１の出射面２１ａに、上記のプリズムアレイシート１０Ａにおける四角錘台状になった凸部１２の先端面１２ａを接着させるようにした。それと共に、図６に示すように、プリズムアレイシート１０Ａより観察者側に拡散シート２００を設けた。【００６７】
このようにすると、この実施形態２の面発光体においても、上記の実施形態１の面発光体と同様に、調光シートを設けない場合には、面発光素子２０の出射面２１ａにおいて全反射される光が、プリズムアレイシート１０Ａの凸部１２の先端面１２ａが接着された部分においては、全反射されずにこのプリズムアレイシート１０Ａの内部に導かれ、このようにプリズムアレイシート１０Ａの内部に導かれた光の多くは、面発光素子２０の出射面２１ａに向けて収縮した凸部１２の傾斜面１２ｂにおいて反射され、この反射された光がプリズムアレイシート１０Ａの出射面１４に導かれて出射されるようになる。【００６８】
この実施形態２の面発光体においても、実施形態１で述べた理由により、面発光素子２０とプリズムアレイシート１０Ａとの構成により、視認されるモアレ縞が発生するが、図６に示すように拡散シート２００を設けることで、モアレ縞を視認できない状態にすることが可能となる。各種条件の拡散シートでモアレ縞の視認性について研究をしたところ、拡散シートのヘイズ値を３０％以上にすると、モアレ縞が全く観察されなくなることを見出した。面発光素子２０とプリズムアレイシート１０Ａとの組み合わせで発生するモアレ縞の程度によっては、更に小さなヘイズ値の拡散シートを用いても、十分な効果を発揮することがある。【００６９】
観察されるモアレ縞の視認性を低くするという目的に対しては、ヘイズ値が高くなることで不都合は生じないが、ヘイズ値が高すぎると、光取り出し効率の向上や正面輝度の向上などのプリズムアレイシート１０Ａの機能に支障を及ぼすことになる。本発明の発明者等は、研究を重ねたところ、拡散シート２００のヘイズ値が８０％未満の時に、面発光素子２０とプリズムアレイシート１０Ａと組み合わせた時の光取り出し効率や正面輝度が十分高くなる効果が得られることを見出した。ヘイズ値が６５％未満の時には更に大きな効果を得ることが出来る。【００７０】
また、実施形態１で述べたのと同様の理由で、プリズムアレイシート１０Ａの凸部１２における傾斜面１２ｂ相互が交差する頂角θは、このプリズムアレイシート１０Ａにおける波長５５０ｎｍの光に対する屈折率をｎとした場合に、（１／ｎ−０．３５）＜ｓｉｎθ＜（１／ｎ＋０．３）の条件を満たすことが好ましく、更に１／ｎ＜ｓｉｎθ＜（１／ｎ＋０．２５）の条件を満たすようにすることがより好ましい。【００７１】
また、実施形態１で述べたのと同じ理由により、プリズムアレイシート１０Ａ凸部１２の高さｈは、凸部１２のピッチｐに対して、０．２８ｐ≦ｈ≦１．１ｐの条件を満たすことが好ましい。それらの条件を満足する時に、更に高い光取り出し効率や正面輝度を得ることが出来る。【００７２】
以上の説明では、プリズムアレイシート１０Ａの形状として、図１に示す四角推台を例に説明したが、調光シートとして、図５（ａ）、（ｂ）に示すように、透光性基板１１の片面に先端側が収縮した円錘台状の凸部１２の周辺部が切断されて正方形状になったものが縦横に連続して形成されたプリズムアレイシート１０Ｅを用いても良い。【００７３】
ここで、プリズムアレイシート１０Ｅに円錘台状になった凸部１２を設けるようにすると、実施形態１で説明したのと同様の理由により、このプリズムアレイシート１０Ｅを通して出射される光の正面輝度が更に大きく向上されるようになる。【００７４】
（実施形態３）
実施形態３においては、調光シートとして、上記の実施形態１の場合と同様に、図１（ａ）、（ｂ）に示すプリズムアレイシート１０Ａを用い、透光性基板１１の片面に先端側が収縮した四角錘台状の凸部１２を設ける。【００７５】
そして、この実施形態３の面発光体においても、上記の実施形態１、２の場合と同様に、面発光素子２０において発光された光を出射させる透明基板２１の出射面２１ａに、上記のプリズムアレイシート１０Ａにおける四角錘台状になった凸部１２の先端面１２ａを接着させるようにした。それと共に、図７に示すように、プリズムアレイシート１０Ａより観察者側の表面に拡散構造２１０を設けた。【００７６】
このようにすると、この実施形態２の面発光体においても、上記の実施形態１、２の面発光体と同様に、調光シートを設けない場合には、面発光素子２０の出射面２１ａにおいて全反射される光が、プリズムアレイシート１０Ａの凸部１２の先端面１２ａが接着された部分においては、全反射されずにこのプリズムアレイシート１０Ａの内部に導かれ、このようにプリズムアレイシート１０Ａの内部に導かれた光の多くは、面発光素子２０の出射面２１ａに向けて収縮した凸部１２の傾斜面１２ｂにおいて反射され、この反射された光がプリズムアレイシート１０Ａの出射面１４に導かれて出射されるようになる。【００７７】
また、実施形態１で述べた理由により、面発光素子２０とプリズムアレイシート１０Ａとの構成により、視認されるモアレ縞が発生するが、図７に示すように拡散構造２１０を設けることで、モアレ縞を視認できない状態にすることが可能となる。各種条件の拡散構造でモアレ縞の視認性について研究をしたところ、拡散構造のヘイズ値を３０％以上にすると、モアレ縞が全く観察されなくなることを見出した。面発光素子２０とプリズムアレイシート１０Ａとの組み合わせで発生するモアレ縞の程度によっては、更に小さなヘイズ値の拡散構造２１０を用いても、十分な効果を発揮することがある。ここで、拡散構造としては、ビーズ拡散や表面の凹凸による拡散などを用いることが出来る。【００７８】
ここで拡散構造のヘイズ値が高すぎると、光取り出し効率の向上や正面輝度の向上などの機能に支障を及ぼすことになる。本発明の発明者等は、研究を重ねたところ、拡散構造２１０のヘイズ値が７０％未満の時に、面発光体の光取り出し効率や正面輝度が十分高くなる効果が得られることを見出した。また、ヘイズ値が６５％未満の時には更に大きな効果を得ることが出来る。また、３０％以上の反射率を持つ拡散構造２１０を用いることでも、十分な光取り出し効率を得ることが可能でることを見出した。ここで、拡散構造のヘイズ値や反射率については、プリズム列を持たない、同じ材質のシート上に拡散構造を形成し、ヘイズ測定器などで測定した。【００７９】
また、実施形態１で述べたのと同様の理由で、プリズムアレイシート１０Ａの凸部１２における傾斜面１２ｂ相互が交差する頂角θは、このプリズムアレイシート１０Ａにおける波長５５０ｎｍの光に対する屈折率をｎとした場合に、（１／ｎ−０．３５）＜ｓｉｎθ＜（１／ｎ＋０．３）の条件を満たすことが好ましく、更に１／ｎ＜ｓｉｎθ＜（１／ｎ＋０．２５）の条件を満たすようにすることがより好ましい。【００８０】
また、実施形態１で述べたのと同じ理由により、プリズムアレイシート１０Ａ凸部１２の高さｈは、凸部１２のピッチｐに対して、０．２８ｐ≦ｈ≦１．１ｐの条件を満たすことが好ましい。それらの条件を満足する時に、更に高い光取り出し効率や正面輝度を得ることが出来る。【００８１】
以上の説明では、プリズムアレイシート１０Ａの形状として、図１に示す四角推台を例に説明したが、調光シートとして、図５（ａ）、（ｂ）に示すように、透光性基板１１の片面に先端側が収縮した円錘台状の凸部１２の周辺部が切断されて正方形状になったものが縦横に連続して形成されたプリズムアレイシート１０Ｅを用いても良い。【００８２】
ここで、プリズムアレイシート１０Ｅに円錘台状になった凸部１２を設けるようにすると、実施形態１で説明したのと同様の理由により、このプリズムアレイシート１０Ｅを通して出射される光の正面輝度が更に大きく向上されるようになる。【００８３】
また、調光シートの片側の面を拡散構造とすることで、拡散シートを別に設ける形態よりも、構成が簡単で薄型になるという効果が得られる。【００８４】
（実施形態４）
実施形態４においては、図８に示すように、面発光素子２０において発光された光を出射させる透明基板２１の出射面２１ａに、プリズムアレイシート１０Ａを接着拡散層２２０を介して四角錘台状になった凸部１２の先端面１２ａを接着させるようにした。【００８５】
実施形態１において説明したように、モアレ縞の視認性を高める条件は、凸部１２の先端面１２ａで曲げられることなく通過する光線の量が多いことであるから、先端面１２ａを透明基板２１の出射面２１ａに接着する際の接着層を拡散性を持つ接着拡散層２２０とすることで、モアレ縞の視認性を著しく低下する効果を得ることが出来る。【００８６】
また、凸部１２の壁面１２ｂにより光が取り出される方向や正面方向に曲げられる光線に対しては何ら影響を及ぼさないため、光取り出し効率や正面輝度を高くすることが出来る。【００８７】
（実施形態５）
実施形態５においては、図９に示すように、面発光素子２０において発光された光を出射させる透明基板を拡散構造を持つ拡散基板２３０とし、その出射面２１ａに、プリズムアレイシート１０Ａを四角錘台状になった凸部１２の先端面１２ａを接着させるようにした。【００８８】
実施形態１において説明したように、モアレ縞の視認性を高める条件は、プリズムアレイシート１０Ａの鏡像の視認性が高いことによるものであるから、発光素子２０を形成する透明基板に拡散性を持たせて拡散基板２３０とすることで、モアレ縞の視認性を著しく低下する効果を得ることが出来る。【００８９】
また、凸部１２の壁面１２ｂにより光が取り出される方向や正面方向に曲げられる光線に対しては何ら影響を及ぼさないため、光取り出し効率や正面輝度を高くすることが出来る。【００９０】
本発明の面発光体は、有機ＥＬディスプレイ、無機ディスプレイ、ＰＤＰ（プラズマディスプレイ）等の各種表示装置のバックライトとして用いられる。また、反射型、透過型、半透過型ＬＣＤ或いはＴＮ型、ＳＴＮ型、ＯＣＢ型、ＨＡＮ型、ＶＡ型（ＰＶＡ型、ＭＶＡ型）、ＩＰＳ型等の各種駆動方式のＬＣＤを有する液晶表示装置のバックライトとしても好ましく用いられる。特に液晶表示装置では、正面輝度が高くコントラストの高い画像が得られるという効果があった。
【実施例】
【００９１】
次に、この発明の実施例に係る面発光体と比較例の面発光体とを比較し、この発明の実施例に係る面発光体においては、面発光体から出射される光の取り出し効率や正面輝度が大きく向上すると共に、モアレ縞が観察されない良好な発光体を得られることを説明する。【００９２】
（比較例１）
比較例１においては、図１０に示すように、面発光素子２０をそのまま面発光体として用いるようにした。【００９３】
そして、この面発光素子２０としては、前記のように透明電極２２が設けられた透明基板２１の面に有機ＥＬ層２３と対向電極２４とが設けられた有機ＥＬ素子からなる面発光素子２０を用いるようにした。【００９４】
ここで、この面発光素子２０においては、上記の透明基板２１として、厚みが０．７ｍｍ，サイズが４０ｍｍ×５２ｍｍの無アルカリガラスを用い、この透明基板２１の片面に透明電極２２として、ＩＴＯを１５０ｎｍの厚みに成膜し、フォトリソグラフィー法によって電極形状にパターニングし、３５×４６ｍｍの大きさにしたものを用いた。なお、この透明電極２２の抵抗を、ロレスタ（三菱化学社製）を用いて測定したところ２０Ω／□であった。【００９５】
そして、この透明電極２２の上に、正孔輸送材料としてトリアゾール誘導体を用い、真空蒸着法により膜厚が１００ｎｍになった正孔輸送層を形成した。次いで、この正孔輸送層の上に、トリス（８−キノリノラト）からなる発光材料を真空蒸着法により蒸着させて膜厚が１００ｎｍになった発光層を形成した。そして、この発光層の上に、トリアジン誘導体を真空蒸着法により蒸着させて膜厚が１００ｎｍになった正孔阻止層を形成した。更に、この正孔阻止層の上に、ニトロ置換フルオレン誘導体を真空蒸着法により蒸着させて膜厚が１００ｎｍになった電子輸送層を形成した。そして、この電子輸送層の上にスパッタ法によって膜厚が１００ｎｍになったアルミニウムからなる対向電極２４を形成した。なお、この面発光素子２０の出射面２１ａ側における透明基板２１は、波長５５０ｎｍの光に対する屈折率が１．５１７であった。【００９６】
（比較例２）
比較例２においては、前記の実施形態１の面発光体と同様に、調光シートとして透光性基板１１の片面に四角錐状になった凸部１２が連続して形成されたプリズムアレイシート１０Ａを用い、図２に示すように、このプリズムアレイシート１０Ａにおける三角形状の凸部１２を、上記の比較例１の面発光素子２０の出射面２１ａに対向するようにして、このプリズムアレイシート１０Ａを面発光素子２０の出射面２１ａに接着させるようにした。接着方法として粘着剤を用いた。粘着剤の厚みは１０μｍであった。接着前の凸部の高
さを接着後の凸部の高さｈと比較したところ、凸部の先端が５μｍ埋まっていることが分かった。なお、このプリズムアレイシート１０Ａは、波長５５０ｎｍの光に対する屈折率が１．４９５、図５に示す上記の三角柱状の凸部１２の頂角θが５０°であり、四角錐台状の凸部１２の高さは２０．４μｍ、この凸部１２のピッチは３５μｍであった。接着後の凸部の高さは１５．４μｍであった。【００９７】
（比較例３〜４）
比較例３〜４においては、比較例２と同じ構成において、プリズムアレイシート凸部１２の高さを１６．９μｍ、９．９μｍと変えて実験を行った。接着後の凸部の高さは各々１１．９μｍ、４．９μｍであった。【００９８】
（比較例５）
比較例５においては、プリズムアレイシートの凸部１２が円錐台の形状をしており、凸部１２の頂角θが４２°であり、凸部１２の高さは２０．４μｍ、この凸部１２のピッチは３５μｍであった。接着後の凸部の高さは１５．４μｍであった。【００９９】
（実施例１）
実施例１においては、上記の実施形態１に示すように、調光シートとして透光性基板１１の片面に先端側が収縮した四角錘台状の凸部１２が縦横方向に連続して形成されたプリズムアレイシート１０Ａを用い、このプリズムアレイシート１０Ａにおける四角錘台状になった凸部１２の先端面１２ａを、比較例１の面発光素子２０の出射面２１ａに接着させるようにした。なお、このプリズムアレイシート１０Ａは、波長５５０ｎｍの光に対する屈折率が１．４９５、上記の四角錘台状の凸部１２の頂角θが５０°であり、四角錐台状の凸部１２の高さは３０．９μｍ、この凸部１２のピッチは３５μｍであった。接着後の凸部の高さは２５．９μｍであった。【０１００】
（実施例２〜３）
実施例２〜３においては、プリズムアレイシートの凸部１２が円錐台の形状をしており、凸部１２の高さは２８．１μｍ、２４．６μｍとし、この凸部１２のピッチは３５μｍであった。接着後の凸部の高さは各々２３．１μｍ、１９．６μｍであった。【０１０１】
そして、上記の比較例１〜５及び実施例１〜３の各面発光体における面発光素子を発光させて、上記の比較例１の面発光体の正面輝度及び光取り出し効率を１とした場合における、各面発光体の正面輝度と光取り出し効率を測定した。光取り出し効率は、角度−輝度測定器により面発光体の法線方向を０°とした場合に、法線を含む面内において法線に対して所定の角度をなす方向における輝度を、角度を変化させながら測定し、角度毎の輝度を積分して求めた値を、比較例１の値と比較した。【０１０２】
また、面発光素子を発光させて、プリズムアレイシートを顕微鏡で観察し、接着面積比率を測定した。【０１０３】
また、面発光体を目視で観察し、モアレ縞の視認性を確認した。【０１０４】
比較例１〜５ならびに実施例１〜３の正面輝度、光取り出し効率とモアレ縞の測定結果を表１に示す。【０１０５】
【表１】
0005309993.tif 000002
【０１０６】
この結果、比較例２〜５では、モアレ縞が観察されたが、実施例１〜３では、モアレ縞はわずかに観察されるかほとんど観察されなかった。比較例２〜５のプリズムアレイシートのヘイズ値が８５％未満であったのに対し、実施例１〜３のプリズムアレイシートのヘイズ値は８５％以上であった。【０１０７】
また、比較例２〜５の接着面積比率が３０％以上と高いのに対し、実施例１〜３の接着面積比率は２０％未満と低い値であった。【０１０８】
（比較例６〜７）
比較例６〜７においては、上記の実施形態２の場合と同様に、調光シートとして図１（ａ）、（ｂ）に示すプリズムアレイシート１０Ａを用い、透光性基板１１の片面に先端側が収縮した四角錘台状の凸部１２を設ける。そして、面発光素子２０において発光された光を出射させる透明基板２１の出射面２１ａに、上記のプリズムアレイシート１０Ａにおける四角錘台状になった凸部１２の先端面１２ａを接着させるようにした。それと共に、図６に示すように、プリズムアレイシート１０Ａより観察者側に拡散シート２００を設けた。【０１０９】
このプリズムアレイシート１０Ａとして、比較例２に示すプリズムアレイシートを用いた。拡散シート２００として、比較例６ではつじでん社製の拡散板Ｄ１１４を用い、比較例７ではつじでん社製の拡散板Ｄ１２３を用いた。【０１１０】
（実施例５〜８）
実施例５〜８においては、上記の実施形態２の場合と同様に、調光シートとして図１（ａ）、（ｂ）に示すプリズムアレイシート１０Ａを用い、透光性基板１１の片面に先端側が収縮した四角錘台状の凸部１２を設ける。そして、面発光素子２０において発光された光を出射させる透明基板２１の出射面２１ａに、上記のプリズムアレイシート１０Ａにおける四角錘台状になった凸部１２の先端面１２ａを接着させるようにした。それと共に、図６に示すように、プリズムアレイシート１０Ａより観察者側に拡散シート２００を設けた。【０１１１】
このプリズムアレイシート１０Ａとして、比較例２に示すプリズムアレイシートを用いた。拡散シート２００として、実施例５ではつじでん社製の拡散板Ｄ１２０を用い、実施例６ではつじでん社製の拡散板Ｄ１２９を用い、実施例７ではつじでん社製の拡散板Ｄ１３２を用い、実施例８ではつじでん社製の拡散板Ｄ１３４を用いた。【０１１２】
（比較例８〜９）
比較例８〜９においては、上記の実施形態２の場合と同様に、調光シートとして図１（ａ）、（ｂ）に示すプリズムアレイシート１０Ａを用い、透光性基板１１の片面に先端側が収縮した四角錘台状の凸部１２を設ける。そして、面発光素子２０において発光された光を出射させる透明基板２１の出射面２１ａに、上記のプリズムアレイシート１０Ａにおける四角錘台状になった凸部１２の先端面１２ａを接着させるようにした。それと共に、図６に示すように、プリズムアレイシート１０Ａより観察者側に拡散シート２００を設けた。【０１１３】
このプリズムアレイシート１０Ａとして、比較例５に示すプリズムアレイシートを用いた。拡散シート２００として、比較例８ではつじでん社製の拡散板Ｄ１１４を用い、比較例９ではつじでん社製の拡散板Ｄ１２３を用いた。【０１１４】
（実施例９〜１２）
実施例９〜１２においては、上記の実施形態２の場合と同様に、調光シートとして図１（ａ）、（ｂ）に示すプリズムアレイシート１０Ａを用い、透光性基板１１の片面に先端側が収縮した四角錘台状の凸部１２を設ける。そして、面発光素子２０において発光された光を出射させる透明基板２１の出射面２１ａに、上記のプリズムアレイシート１０Ａにおける四角錘台状になった凸部１２の先端面１２ａを接着させるようにした。それと共に、図６に示すように、プリズムアレイシート１０Ａより観察者側に拡散シート２００を設けた。【０１１５】
このプリズムアレイシート１０Ａとして、比較例５に示すプリズムアレイシートを用いた。拡散シート２００として、実施例９ではつじでん社製の拡散板Ｄ１２０を用い、実施例１０ではつじでん社製の拡散板Ｄ１２９を用い、実施例１１ではつじでん社製の拡散板Ｄ１３２を用い、実施例１２ではつじでん社製の拡散板Ｄ１３４を用いた。【０１１６】
（比較例１０〜１１）
比較例１０〜１１においては、上記の実施形態２の場合と同様に、調光シートとして図１（ａ）、（ｂ）に示すプリズムアレイシート１０Ａを用い、透光性基板１１の片面に先端側が収縮した四角錘台状の凸部１２を設ける。そして、面発光素子２０において発光された光を出射させる透明基板２１の出射面２１ａに、上記のプリズムアレイシート１０Ａにおける四角錘台状になった凸部１２の先端面１２ａを接着させるようにした。それと共に、図６に示すように、プリズムアレイシート１０Ａより観察者側に拡散シート２００を設けた。【０１１７】
このプリズムアレイシート１０Ａとして、比較例３に示すプリズムアレイシートを用いた。拡散シート２００として、比較例１０ではつじでん社製の拡散板Ｄ１１４を用い、比較例１１ではつじでん社製の拡散板Ｄ１２３を用いた。【０１１８】
（実施例１３〜１６）
実施例１３〜１６においては、上記の実施形態２の場合と同様に、調光シートとして図１（ａ）、（ｂ）に示すプリズムアレイシート１０Ａを用い、透光性基板１１の片面に先端側が収縮した四角錘台状の凸部１２を設ける。そして、面発光素子２０において発光された光を出射させる透明基板２１の出射面２１ａに、上記のプリズムアレイシート１０Ａにおける四角錘台状になった凸部１２の先端面１２ａを接着させるようにした。それと共に、図６に示すように、プリズムアレイシート１０Ａより観察者側に拡散シート２００を設けた。【０１１９】
このプリズムアレイシート１０Ａとして、比較例３に示すプリズムアレイシートを用いた。拡散シート２００として、実施例１３ではつじでん社製の拡散板Ｄ１２０を用い、実施例１４ではつじでん社製の拡散板Ｄ１２９を用い、実施例１５ではつじでん社製の拡散板Ｄ１３２を用い、実施例１６ではつじでん社製の拡散板Ｄ１３４を用いた。【０１２０】
比較例６〜１１ならびに実施例５〜１６の正面輝度、光取り出し効率とモアレ縞の測定結果を表２に示す。【０１２１】
【表２】
0005309993.tif 000003
【０１２２】
この結果、比較例６〜１１ならびに実施例５〜１６において、モアレ縞は全く観察されなかった。また、ヘイズ値が８０％以上の拡散板を使用した比較例６〜１１では、光取り出し効率が１．４未満と十分でなかったが、ヘイズ値が８０％未満の拡散板を用いた実施例５〜１６では、光取り出し効率が１．４以上で、また正面輝度も１．６以上と高い性能が得られた。【０１２３】
（比較例１２）
比較例１２においては、上記の実施形態３の場合と同様に、調光シートとして図１（ａ）、（ｂ）に示すプリズムアレイシート１０Ａを用い、透光性基板１１の片面に先端側が収縮した四角錘台状の凸部１２を設ける。そして、面発光素子２０において発光された光を出射させる透明基板２１の出射面２１ａに、上記のプリズムアレイシート１０Ａにおける四角錘台状になった凸部１２の先端面１２ａを接着させるようにした。それと共に、図７に示すように、プリズムアレイシート１０Ａより観察者側の表面に拡散構造２１０を設けた。【０１２４】
このプリズムアレイシート１０Ａとして、比較例２に示すプリズムアレイシートを用いた。拡散構造２１０として、比較例１２ではビーズ分散タイプの拡散構造を使用し、その反射率は４０．０％であった。ここで、反射率は、プリズムアレイを設けない透光性基板１１と拡散構造２１０とからなる拡散シートを作成して、測定光を拡散構造がない側から照射するようにして、測定した。【０１２５】
（実施例１７〜２１）
実施例１７〜２１においては、上記の比較例１２の場合と同様に、調光シートとして図１（ａ）、（ｂ）に示すプリズムアレイシート１０Ａを用い、透光性基板１１の片面に先端側が収縮した四角錘台状の凸部１２を設ける。そして、面発光素子２０において発光された光を出射させる透明基板２１の出射面２１ａに、上記のプリズムアレイシート１０Ａにおける四角錘台状になった凸部１２の先端面１２ａを接着させるようにした。それと共に、図７に示すように、プリズムアレイシート１０Ａより観察者側の表面に拡散構造２１０を設けた。【０１２６】
このプリズムアレイシート１０Ａとして、比較例２に示すプリズムアレイシートを用いた。拡散構造としてはビーズ拡散タイプを用いた。実施例１７〜２１における拡散構造の反射率は、表３に示すとおりであった。【０１２７】
比較例１２ならびに実施例１７〜２１の面発光体において、面発光素子を発光させて正面輝度、光取り出し効率を測定し、モアレ縞を観察した結果を表３に示す。【０１２８】
この結果、比較例１２ならびに実施例１７〜２１において、モアレ縞は全く観察されなかった。また、比較例１２では、光取り出し効率が１．５未満で正面輝度が１．７未満と十分な性能が得られないことが分かった。実施例１７〜２１では、光取り出し効率が１．５以上で、また正面輝度も１．７以上と高い性能を得ることが出来た。【０１２９】
（比較例１３）
比較例１３においては、調光シートとして、円錐台状になった凸部を設けたプリズムアレイシートを用いた以外は、比較例１２と同様の構成の面発光体を用いた。プリズムアレイシートとしては実施例３と同形状のプリズムアレイシートを用いた。拡散構造２１０として、比較例１３ではビーズ分散タイプの拡散板を使用し、そのヘイズ値、反射率は８２．４％、４０．０％であった。【０１３０】
（実施例２２〜２６）
実施例２２〜２６においては、上記の比較例１３の場合と同様の面発光体を用いた。実施例２２〜２６における拡散構造の反射率は、表３に示すとおりであった。【０１３１】
比較例１３ならびに実施例２２〜２６の面発光体において、面発光素子を発光させて正
面輝度、光取り出し効率を測定し、モアレ縞を観察した結果を表３に示す。【０１３２】
【表３】
0005309993.tif 000004
【０１３３】
この結果、比較例１３ならびに実施例２２〜２６において、モアレ縞は全く観察されなかった。【０１３４】
また、比較例１３では、正面輝度が１．６未満と十分な性能が得られないことが分かった。実施例２２〜２６では、正面輝度が１．６以上と高い性能を得ることが出来た。【０１３５】
次いで本発明の実施例１〜２６の面発光体を、ＶＡ型液晶表示装置である富士通製１５型ディスプレイＶＬ−１５０ＳＤの予め内蔵されていたバックライトの替わりに用いたところ、優れた輝度を有する液晶表示装置が得られることが分かった。
【図１】
0005309993.tif 000005
【図２】
0005309993.tif 000006
【図３】
0005309993.tif 000007
【図４】
0005309993.tif 000008
【図５】
0005309993.tif 000009
【図６】
0005309993.tif 000010
【図７】
0005309993.tif 000011
【図８】
0005309993.tif 000012
【図９】
0005309993.tif 000013
【図１０】
0005309993.tif 000014